(57)【特許請求の範囲】
【請求項１】
動脈穿刺針(２)のハブ(１)であって、動脈血圧の作用のもとに前記針内を逆流してくる血液を入口端(５ａ)から受け入れ可能な管状で透明な観察チャンバー(５)と、該観察チャンバー(５)の出口端(５ｂ)に前記針内の血液の圧力変化によって容積の変化する気柱(７)を維持するに充分な対抗圧力を創出する手段(６)とを含み、該手段が、周囲の外気に対して気密で且つ前記観察チャンバー(５)の外側に前記出口端(５ｂ)と通気可能に配設された空気貯留チャンバー(６)を備えたものにおいて、空気貯留チャンバー(６)が観察チャンバー(５)の周囲に配設され、前記二つのチャンバーがハブと共に剛性のユニットを形成し、これら二つのチャンバーの各容積が、心室収縮期の動脈最高血圧時に血液が空気貯留チャンバー(６)へ到達しないようにそれぞれ予め定められていることを特徴とする、動脈穿刺針のハブ。
【請求項２】
空気貯留チャンバー(６)を内部に形成する気密チューブと、この気密チューブで周囲を外側から囲まれ、観察チャンバー(５)を内部に形成するチューブとがハブと共に剛性のユニットを形成していることを特徴とする請求項１に記載のハブ。
【請求項３】
観察チャンバーの出口端(５ｂ)が血液を漏洩させずに空気を通過させるプラグ(８)によって閉鎖されていることを特徴とする請求項１又は２に記載のハブ。
【請求項４】
観察チャンバー(５)が前記針(２)の軸心と同じ方向に軸心を向けて配設されていることを特徴とする請求項１〜３のいずれか１項に記載のハブ。
【請求項５】
観察チャンバー(５)が前記針(２)の軸心を横切る方向に軸心を向けて配設されていることを特徴とする請求項１〜３のいずれか１項に記載のハブ。
【請求項６】
一端が前記針(２)と連通し他端が開放された通路(９)と、該通路(９)内に配設された逆止弁(１０)とを更に含み、観察チャンバー(５)が前記逆止弁と前記通路の前記針に連通した前記一端との間で前記通路に通じていることを特徴とする請求項５に記載のハブ。
【発明の詳細な説明】
【０００１】
【発明の属する技術分野】
本発明は動脈穿刺針のハブに関するものである。
【０００２】
【従来の技術】
この種の穿刺針は特にカテーテルを動脈内に導入可能とするために用いられるものであり、この場合、動脈内へカテーテルを進めるには、穿刺針をガイドにしてカテーテルを針上でスライドさせる短カテーテル法(short catheter method）か、或いは穿刺針を介して事前に動脈内に導入した金属ガイド上でスライドさせるセルディンガー法(Seldinger method)による。
【０００３】
穿刺針が実際に動脈内に達したことを医師が知るのは、穿刺針から出てくる血液を観察することに基づいており、穿刺針が動脈内に達していれば血液は脈動流となっている。
【０００４】
医師が血液に触れる危険を生じることなく血液の脈動流を観察できるようにするために、短カテーテル法においては穿刺針内を逆流してくる血液を一端側の入口端から受け入れ可能な管状の透明な観察チャンバーを有するハブを穿刺針に設けることが知られており、この場合、観察チャンバーの他端側の出口端は血液を漏洩させずに空気を通過させるプラグによって閉鎖されている。
【０００５】
動脈の血圧は大気圧よりも高いので、穿刺針が動脈内に刺さると逆流血液が観察チャンバーを完全に満たすことになる。
【０００６】
穿刺をやり直す場合、医師はプラグを外して観察チャンバーを空にし、再びプラグをもとの位置に嵌め直すが、この場合、観察チャンバーの壁面が前回の穿刺による血液で既に赤くなっているので動脈内への穿刺針の新たな導入を監視することはできず、代わりに穿刺針の尾端を開いたままにすると血液がハブから自由に吹き出すことになってしまう。
【０００７】
【発明が解決しようとする課題】
本発明の目的は、上述のような場合、即ち更に一般的に云えば動脈内にカテーテルを導入する手術の間に亘って、余分なマニュアル操作が不要で患者血液との接触の恐れも生じること無く逆流血液を目視観察することのできる動脈穿刺針のハブを提供することである。
【０００８】
観察チャンバーの出口端に穿刺針内の血液の圧力変化によって容積の変化する気柱を維持するに充分な対抗圧力を創出する手段を備えた穿刺針用ハブは既に提案されており、この場合、上記手段は周囲の外気に対して気密で且つ観察チャンバーの外側に前記出口端と通気可能に配設された空気貯留チャンバーを備えている（米国特許第５４３９４４９号明細書）。この公知の解決策では、空気貯留チャンバーはフレキシブルなチューブでハブに接続されたエラストマー製のリザーバーで形成され、ケースによって保護されている。
【０００９】
本発明は、カテーテル導入のための穿刺を行う際に扱い難いフレキシブルな附属品を要することなく、穿刺器具を全体として取り扱い易くすると共に確実に機能させるようにする単純な解決策を提供しようとするものである。
【００１０】
【課題を解決するための手段】
本発明によれば、ハブ並びに空気貯留チャンバーと一つの剛性ユニットを形成する観察チャンバーを採用することによって上述の課題が解決され、この場合、これら二つのチャンバーの各容積は、心室拡張期の動脈最低血圧時に血液が観察チャンバー内に観察でき且つ心室収縮期の動脈最高血圧時に血液が空気貯留チャンバーへ到達しないようにそれぞれ予め定められている。
【００１１】
穿刺針が動脈内に穿刺されると動脈の血液が針の中へ逆流してくるが、この血液は観察チャンバーの一部のみを満たすに過ぎず、空気貯留チャンバー内では当初から存在していた空気が圧縮され、観察チャンバー内の尾端側に血液の存在しない気柱が形成される。この気柱の存在によって観察チャンバー内では動脈血圧の変化による血液柱の移動が引き起こされ、これが外側から目視観察されることになる。
【００１２】
本発明の一つの好適な態様によれば、穿刺器具を更にコンパクトにするために空気貯留チャンバーを観察チャンバーの周囲に配設することが有利である。
【００１３】
【発明の実施の形態】
以下に本発明による穿刺針のハブの二つの実施例を添付図面を参照して説明する。
【００１４】
図１に示すカテーテル穿刺針用のハブは合成樹脂材料製の中空管状本体１からなり、この本体にベベル状の先端２ａを有する穿刺針２が貫通している。
【００１５】
カテーテルチューブ３は穿刺針上に被さって固定されている。ハブ１の尾端４には観察チューブ５が連設されており、その先端５ａには穿刺針の尾端２ｂが嵌合している。観察チューブ５は針２の軸心と同じ方向に軸心を向けて配設されている。観察チューブはその周囲を外側から気密な空気貯留チューブ６で囲まれており、この空気貯留チューブはハブに気密に挿込み及び／又は接合されている。これら二つのチューブはそれぞれ内部に空間を形成するチャンバー部材であり、双方のチャンバー内は非密閉の観察チューブ５内の尾端５ｂを介して連通している。これら二つのチューブは剛性であり、ハブと共に剛性ユニットを形成している。必要な場合は、内側の観察チューブ５の尾端５ｂにおける出口端を血液は止めるが空気は通過させるプラグ８によって閉鎖する。
【００１６】
血圧の作用のもとに血液が内側の観察チューブ５内に逆流してくるが、この血液は外側の空気貯留チューブ６内で圧縮される空気圧のために観察チューブの尾端５ｂに達することはない。
【００１７】
空間７は、内側の観察チューブ内で血液の柱と尾端５ｂとの間に血液の無い気柱を形成する空間であり、この気柱の存在によって血圧の変動による血液柱の移動を目視観察することが可能である。
【００１８】
図２に示す実施例ではハブ１はメイン通路９を含んでおり、その一端には穿刺針２が装着され、他端９ｂは開口していてカテーテルをガイドするためのスリーブＧが係合できるようになっている。通路９内には穿刺針２から尾端９ｂへの血液の逆流を阻止する逆止弁１０が配設されており、またこの通路９は穿刺針の装着端と逆止弁１０との間で横向き通路１１を介して交叉方向の観察チューブ５に連通し、この観察チューブは外側を空気貯留チューブ６によって囲まれている。これらのチューブ５及び６は針２の軸心と交叉する方向に軸心を向けて配設されており、それらの機能は前述した図１に示す実施例のチューブ５及び６と同じである。
【００１９】
図１の実施例と同様に、内側のチューブ５の端部、即ち外側にチューブ内に開いている側の端部に血液を漏洩させずに空気を通すプラグを配設することも可能である。
【００２０】
本発明は以上に述べた実施例に限定されるものではないことは述べるまでもない。
【００２１】
【発明の効果】
以上のように、本発明による穿刺針のハブは観察チャンバー並びに空気貯留チャンバーと一つの剛性ユニットを形成しているので、動脈内へのカテーテル導入手術の間に亘り、例えばフレキシブルチューブの接続やプラグの着脱などの余分なマニュアル操作は不要であると共に、患者血液との接触の恐れも生じることが無い。
【００２２】
また観察チャンバーと空気貯留チャンバーは心室収縮期の動脈最高血圧時に血液が空気貯留チャンバーへ到達しないようにそれぞれの容積が予め定められているので、動脈穿刺時に穿刺針内から逆流してくる血液は観察チャンバーの一部を満たすだけで空気貯留チャンバー内で圧縮される空気の対抗圧力により観察チャンバーの尾端側には血液の存在しない気柱が形成され、この気柱の存在によって動脈血圧の変化による血液柱の移動が観察チャンバー内で目視観察でき、従って穿刺のやり直しに際しても気柱の存在によってプラグなどの着脱の必要性無く逆流血液を目視観察することが可能であると同時に患者血液に触れる危険も無く、全体として操作が容易で確実に機能する穿刺針用ハブが得られるという効果が得られるものである。
【図面の簡単な説明】
【図１】本発明の一実施例による短カテーテル用穿刺針ハブの縦断面図である。
【図２】セルディンガー法によるカテーテルを装着するために用いる本発明の別の実施例による穿刺針ハブの縦断面図である。
【符号の説明】
１：ハブ本体
２：穿刺針
３：カテーテル
５：観察チューブ（観察チャンバー）
６：空気貯留チューブ（空気貯留チャンバー）
７：空間（気柱形成空間）
８：プラグ
９：メイン通路
１０：逆止弁
【図１】
0004132454.tif 000002
【図２】
0004132454.tif 000003